(57)【要約】エレベータドアロックは、少なくとも１つの連結部材（３２，３４）との接触に応答してロック解除位置へ移動するロック部材（４０）を含む。開示された実施例では、ロック部材（４０）は一方のドア連結部材（３４）によって回動可能に支持されたアームからなる。他方の連結部材（３２）は、第１の連結部材（３２）が第２の連結部材（３４）に向かって移動するとロック部材をロック解除位置へ移動させるようにロック部材（４０）の接触部（４２）と接触する。開示された実施例では、連結部材間の磁気的連結がロック部材（４０）をロック解除位置に維持する。
2008513316.tif 000002
【特許請求の範囲】
【請求項１】
エレベータかごドアをエレベータ昇降路ドアと共に動かすために作動するドア連結部材（３２）に直接的に接触するよう構成された接触部（４２）を有するロック部材（４０）を備えるエレベータドアロック装置であって、ロック部材（４０）と連結部材（３２）との間の直接的な接触によってロック部材をロック解除位置へ移動させることを特徴とするエレベータドアロック装置。
【請求項２】
ロック部材（４０）は一端部付近にロック部（５０）を有するアームを備え、アームの他端部（５４）は重力によってロック部（５０）がロック位置に付勢されるように寸法決めされていることを特徴とする請求項１記載の装置。
【請求項３】
ロック部（５０）が他端部（５４）よりも重いか、他端部（５４）がロック部（５０）よりも重いかのいずれかを含むことを特徴とする請求項２記載の装置。
【請求項４】
電磁ドア連結部材（３２）を含むことを特徴とする請求項１記載の装置。
【請求項５】
ドア連結部材はロック部材（４０）の接触部（４２）と接触するよう構成された強磁性コア（３６）を備えることを特徴とする請求項４記載の装置。
【請求項６】
電磁ドア連結部材（３２）によって接触するよう構成されたベーン連結部材（３４）を含み、ロック部材（４０）がベーン連結部材（３４）によって支持されていることを特徴とする請求項５記載の装置。
【請求項７】
電磁ドア連結部材（３２）と接触部（４２）との間の接触に応答して、ロック部材（４０）がベーン連結部材（３４）に対してロック解除位置に回動するように支持されていることを特徴とする請求項６記載の装置。
【請求項８】
ロック部材（４０）はアームを備え、接触部（４２）はアームに支持されたピン（４２）を備え、ロック部材（４０）はベーン連結部材（３４）に対するロック部材（４０）の移動を制限するようにベーン連結部材（３４）と接触する制限部材（５６）を有することを特徴とする請求項６記載の装置。
【請求項９】
エレベータかごドア（２４）および昇降路ドア（２６）の一方と共に移動するように支持されるよう構成された電磁連結部材（３２）と、
昇降路ドア（２６）およびエレベータかごドア（２４）の他方に支持されるよう構成されたベーン連結部材（３４）と、
電磁連結部材（３２）およびベーン連結部材（３４）の一方に支持されたロック部材（４０）であって、他方の連結部材（３４，３２）が一方の連結部材に向かって移動すると、ロック部材（４０）と他方の連結部材（３４，３２）との間の接触に応答してロック解除位置に移動するロック部材（４０）と、
を備えることを特徴とする、エレベータドア連結・ロックアッセンブリ。
【請求項１０】
ロック部材（４０）は、ベーン連結部材（３４）に支持され、ロック部材（４０）の接触部（４２）と接触する電磁連結部材（３２）に応答して、ベーン連結部材（３４）に対して回動することを特徴とする請求項９記載のアッセンブリ。
【請求項１１】
接触部（４２）は、ロック部材（４０）がベーン連結部材（３４）に対して回動する中心である軸（４６）に略平行な方向に延在するピン（４２）を備えることを特徴とする請求項１０記載のアッセンブリ。
【請求項１２】
電磁連結部材（３４）はピン（４２）と接触するコア（３６）を有することを特徴とする請求項１１記載のアッセンブリ。
【請求項１３】
ロック解除位置へ向かう方向へのロック部材（４０）の移動を制限する制限部材（５６）を含むことを特徴とする請求項１０記載のアッセンブリ。
【請求項１４】
ロック部材（４０）は一端部付近にロック部（５０）を有するアームを備え、アームの他端部（５４）は重力によってロック部（５０）がロック位置に付勢されるように寸法決めされていることを特徴とする請求項９記載のアッセンブリ。
【請求項１５】
ロック部（５０）が他端部（５４）よりも重いことを特徴とする請求項１４記載のアッセンブリ。
【請求項１６】
他端部（５４）がロック部（５０）よりも重いことを特徴とする請求項１４記載のアッセンブリ。
【請求項１７】
少なくとも１つのエレベータかごドア（２４）と、
少なくとも１つの昇降路ドア（２６）と、
かごドア（２４）と共に移動するように支持された第１の連結部材（３２）と、
昇降路ドア（２６）と共に移動するように支持された第２の連結部材（３４）と、
ロック部材（４０）と、
を備えるエレベータアッセンブリであって、
第１および第２の連結部材（３４）は、昇降路ドア（２６）とかごドア（２４）とを連結し、それによって、これらのドアが一緒に動き、
ロック部材（４０）は、連結部材（３２，３４）の一方に接触して、一方の連結部材が他方の連結部材に向かって移動するとロック解除位置へ移動するように配置されたことを特徴とするエレベータドアアッセンブリ。
【請求項１８】
ロック部材（４０）は、第２の連結部材（３４）に回動可能に支持され、第１の連結部材（３２）の対応する部分（３６）と直接的に接触する接触部（４２）を有することを特徴とする請求項１７記載のアッセンブリ。
【請求項１９】
第１の連結部材（３２）は、第１の連結部材（３２）が第２の連結部材（３４）と磁気的に連結した際に、ロック解除位置にロック部材（４０）を保持することを特徴とする請求項１７記載のアッセンブリ。
【請求項２０】
ロック部材（４０）は一端部付近にロック部（５０）を有するアームを備え、アームの他端部（５４）はロック部（５０）がロック位置へ重力によって付勢されるように寸法決めされていることを特徴とする請求項１７記載のアッセンブリ。
【発明の詳細な説明】
【技術分野】
【０００１】
本発明は一般にエレベータドアシステムに関する。特に、本発明は、エレベータドアをロックするための構成に関する。
【背景技術】
【０００２】
エレベータは通常、ビルの異なる階の間で昇降路を垂直に移動するかごを含む。各階または着床部において、一組の昇降路ドアは、エレベータかごがその着床部にないときは昇降路を閉鎖し、エレベータかごが着床部にあるときはかごのドアと共に開いてエレベータかごへの、または、かごからのアクセスを許容するよう構成されている。かごが運転中のとき、または適切に着床部に位置していないときは、昇降路ドアをロックし、人が昇降路ドアを開けないように、昇降路を露出させないようにする必要がある。従来の構成は、適切な条件下で昇降路ドアのロックを保持するための機械的ロックを含んでいる。
【０００３】
従来の構成は、通常いくつかの機能を単一の装置に統合したドアインターロックを含んでいる。インターロックは、昇降路ドアをロックし、昇降路ドアがロックされたことを検出し、また、かごドアを開くために昇降路ドアをかごドアに連結する。このように複数の機能を統合することにより材料費を低くできる一方、従来の構成によってもたらされた重大な設計上の難問がある。例えば、ロック機能と検出機能とは、法令を満足するために正確でなければならない。一方、連結機能は、昇降路ドアに対するかごドアの位置の変動を吸収するため相当量の公差を必要とする。これらの２つの機能が通常単一の装置に統合されているが、これらの設計上の関係は通常互いに相反するものである。
【０００４】
従来のインターロックの構成に関する相反する問題は、結果として相当量の欠陥部品回収やメンテナンス要求をもたらす。エレベータドアシステムの部品がエレベータのメンテナンス要求の約５０％と欠陥部品回収の３０％を占めているものと考えられる。ドアシステムの不具合に起因する欠陥部品回収の約半分は、インターロック機能のいずれかに関している。
【発明の開示】
【発明が解決しようとする課題】
【０００５】
ロックされた昇降路ドアの安全を提供し、さらに従来の構成の複雑さを回避して、メンテナンスの必要を減少させるより信頼性の高い構成を提供する改善された構成が当業界において必要とされている。本発明は、独特なエレベータドアロックアッセンブリを用いてこの必要性に対処するものである。
【課題を解決するための手段】
【０００６】
例示のエレベータドアロック装置は、ドアパネルと共にかつドアパネルに対して移動するように支持可能なロック部材を含む。ロック部材は、ドア連結部材に直接的に接触し、ロック部材をロック解除位置へ移動させるよう構成された接触部を有する。
【０００７】
一実施例では、ロック部材は一端部付近にロック部を有するアームを備える。アームの他端部は、重力によってロック部がロック位置へ付勢されるように寸法決めされている。
【０００８】
例示のエレベータドア連結・ロックアッセンブリは、エレベータかごドアおよび昇降路ドアの一方と共に移動するように支持されるよう構成された第１の連結部材を含む。第１の連結部材と協働する第２の連結部材が、昇降路ドアおよびかごドアの他方に支持されるよう構成される。ロック部材は、連結部材の一方に支持され、他方の連結部材がロック部材を支持する連結部材に向かって移動するとロック解除位置に動かされる。
【０００９】
一実施例では、ロック部材が昇降路ドアと関連するベーン連結部材に支持される。この実施例では、ロック部材はベーン連結部材に対して回動するアームを備える。ロック部材の接触部は、連結部材の対応する部分が接触部と接触することで他の連結部材によって動かされる。
【００１０】
一実施例は、ロック解除方向へのロック部材の移動の量を制限する制限部材を含む。
【００１１】
一実施例では、連結部材間の電磁的連結が、それらの連結を維持し、ロック部材をロック解除位置に保持する。
【００１２】
本発明の様々な特徴および利点は、以下における現在の好ましい実施例の詳細な説明によって当業者に明らかとなろう。詳細な説明に添付される図面については後に簡潔に記載する。
【発明を実施するための最良の形態】
【００１３】
図１は、エレベータシステム２０の選択された部分を概略的に示す。エレベータかご２２は、たとえば、かご２２が昇降路を移動している間は閉まったままである、かごドア２４を有する。かご２２が着床部に到着したとき、かごドア２４は公知のように昇降路ドア２６と整列する。ドア移動装置２８は必要に応じてかごドア２４を開く。昇降路ドア２６がかごドア２４と共に動かされるようなドア間の適切な連結を条件として、昇降路ドア２６はかごドアと共に動く。
【００１４】
図１の実施例では、第１の連結部材３２がかごドア２４と共に動くように支持されている。第２の連結部材３４は昇降路ドア２６と共に動くように支持されている。一実施例では、第１の連結部材３２と第２の連結部材３４は、それらの間の磁気的連結に基づいて作動する。
【００１５】
図２〜図４の実施例では、第１の連結部材３２はコア３６と巻線３８（図２には図示せず）とを有する電磁石からなる。第２の連結部材３４はアーマチャまたはベーンからなる。一実施例では、第２の連結部材３４は一片の強磁性材料からなり、２つの連結部材間の磁気的連結が必要に応じて昇降路ドア２６をかごドア２４と共に動かすことを可能にする。一実施例では、巻線３８はエレベータかご２２に関連する電源からの電力を受けて、電磁石に電気を供給し、第１の連結部材３２と第２の連結部材３４との間の磁気的連結を提供する。磁気的連結により、従来のローラとベーンの構成を必要とすることなく、昇降路ドア２６をかごドア２４と共に動かすことができる。
【００１６】
ロック部材４０は、ロック部材４０が連結部材の１つとの接触に応答して、ロック位置とロック解除位置との間を移動するように、支持されている。図２〜図４の実施例では、ロック部材４０は第２の連結部材３４に関連付けられている。ロック部材４０の接触部４２（この実施例ではピン）は、矢印４５によって概略的に示されるように第１の連結部材３２が第２の連結部材３４に向かって移動すると、コア３６の接触面４４に直接接触される。この実施例では、コア３６がロック部材４０を押し、それによって、矢印４８によって示されるようにロック部材４０が軸４６を中心に回動する。この動きによって、一実施例としては、昇降路ドアのヘッダと適切に関連するロック凹部５２からロック部５０の係合を解除するようになる。
【００１７】
この実施例では、ロック位置は図２および図３を参照することにより理解することができる。図４に示されたロック解除位置は、コア３６と接触部４２との間の接触、および、ロック部５０をロック凹部５２から離れるように動かす第１の連結部材３２の第２の連結部材３４へ向かう十分な移動によるものである。一実施例では、コア３６が第２の連結部材３４と接触するとほぼ同時にロック部５０がロック凹部５２から離れるような寸法上の関係に設定される。
【００１８】
図２〜図４の実施例では、ロック部材４０は一端部付近にロック部５０を有するアームからなる。アームの他端部５４は、ロック部５０が重力によってロック位置に付勢されるように寸法決めされている。
【００１９】
この実施例はまた、接触部４２に用いられているピンと同様のピンからなる制限部材５６を含む。制限部材５６は第２の連結部材３４と接触し、たとえば図２の矢印４８によって示された方向へのロック部材４０の移動量を制限する。本実施例では、接触部４２および制限部材５６はそれぞれ、ロック部材４０のアームに支持されたピンからなり、該ピンはロック部材４０がロック位置とロック解除位置との間を動く際のロック部材４０の回動の中心である軸４６に略平行な方向に延在するものである。
【００２０】
ロック部材４０と連結部材との間の電磁的相互作用は不要である。ロック部材４０と連結部材の少なくとも１つとの間の接触に関連する移動の力さえあれば、本実施例ではロック部材をロック解除位置へ移動することができる。連結部材３２、３４が離れることにより、重力がロック部材４０をロック位置へ引き戻す。
【００２１】
他の実施例が図５に示され、ここではロック部材４０’はわずかに異なる形状を有する。この実施例では、ロック部５０’はロック解除位置へは、先の実施例に用いられたような上方ではなく、下方に移動する。本実施例では、ロック部材４０’の端部５４’はロック部５０’を含む端部よりも重い。したがって、ロック部材４０’は、ロック位置に重力によって付勢される。ロック部材４０’の移動は、図２〜図４の実施例と同様にして行われる。
【００２２】
第１の連結部材３２と第２の連結部材３４との間の電磁的連結が本実施例で用いられているが、ドア連結とドアロックの作動を一体化するための他の構成も本発明の範囲内である。この説明を利用できる当業者であれば、彼らの特別な状況の必要性に応じた適切な部品および寸法を選択することが可能であろう。
【００２３】
開示された実施例は、従前の構成に関連する欠陥や欠点のない、一体化されたドア連結とドアロックの構成を提供する。開示された実施例に関しては複雑なリンク機構や中間部品がない。ドア連結部材の一方とロック部材との間の直接的な接触さえあれば、ロック部材をロック解除位置に移動させることができる。したがって、開示された実施例は信頼性の高い合理化された構成を提供する。
【００２４】
上述の説明は例示的な性格のものであり、限定的な性格のものではない。当業者には開示された実施例に対する、本発明の趣旨から必ずしも逸脱しない変形および改良が明らかとなろう。本発明に与えられる法的保護の範囲は添付の特許請求の範囲を検討することによってのみ判定可能である。
【図面の簡単な説明】
【００２５】
【図１】本発明の実施例に従い設計されたアッセンブリを組み入れたエレベータシステムの選択された部分の概略図。
【図２】ドアロックアッセンブリの実施例の選択された部分の概略図。
【図３】図２の実施例の別図。
【図４】他の作動位置における図３の構成を示す図。
【図５】別の実施例を示す図。
【図１】
2008513316.tif 000003
【図２】
2008513316.tif 000004
【図３】
2008513316.tif 000005
【図４】
2008513316.tif 000006
【図５】
2008513316.tif 000007
【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
エレベータかごドアをエレベータ昇降路ドアと共に動かすために作動する電磁ドア連結部材（３２）に直接的に接触するよう構成された接触部（４２）を有するロック部材（４０）を備えるエレベータドアロック装置であって、ロック部材（４０）と電磁ドア連結部材（３２）との間の直接的な接触によってロック部材をロック解除位置へ移動させることを特徴とするエレベータドアロック装置。
【請求項２】
ロック部材（４０）は一端部付近にロック部（５０）を有するアームを備え、アームの他端部（５４）は重力によってロック部（５０）がロック位置に付勢されるように寸法決めされていることを特徴とする請求項１記載の装置。
【請求項３】
ロック部（５０）が他端部（５４）よりも重いか、他端部（５４）がロック部（５０）よりも重いかのいずれかを含むことを特徴とする請求項２記載の装置。
【請求項４】
電磁ドア連結部材はロック部材（４０）の接触部（４２）と接触するよう構成された強磁性コア（３６）を備えることを特徴とする請求項１記載の装置。
【請求項５】
電磁ドア連結部材（３２）によって接触するよう構成されたベーン連結部材（３４）を含み、ロック部材（４０）がベーン連結部材（３４）によって支持されていることを特徴とする請求項４記載の装置。
【請求項６】
電磁ドア連結部材（３２）と接触部（４２）との間の接触に応答して、ロック部材（４０）がベーン連結部材（３４）に対してロック解除位置に回動するように支持されていることを特徴とする請求項５記載の装置。
【請求項７】
ロック部材（４０）はアームを備え、接触部（４２）はアームに支持されたピン（４２）を備え、ロック部材（４０）はベーン連結部材（３４）に対するロック部材（４０）の移動を制限するようにベーン連結部材（３４）と接触する制限部材（５６）を有することを特徴とする請求項５記載の装置。
【請求項８】
エレベータかごドア（２４）および昇降路ドア（２６）の一方と共に移動するように支持されるよう構成された電磁連結部材（３２）であって、選択的に電力を受けて磁気的連結力を提供する電磁連結部材（３２）と、
昇降路ドア（２６）およびエレベータかごドア（２４）の他方に支持されるよう構成されたベーン連結部材（３４）と、
電磁連結部材（３２）およびベーン連結部材（３４）の一方に支持されたロック部材（４０）であって、他方の連結部材（３４，３２）が一方の連結部材に向かって移動すると、ロック部材（４０）と他方の連結部材（３４，３２）との間の接触に応答してロック解除位置に移動するロック部材（４０）と、
を備えることを特徴とする、エレベータドア連結・ロックアッセンブリ。
【請求項９】
ロック部材（４０）は、ベーン連結部材（３４）に支持され、ロック部材（４０）の接触部（４２）と接触する電磁連結部材（３２）に応答して、ベーン連結部材（３４）に対して回動することを特徴とする請求項８記載のアッセンブリ。
【請求項１０】
接触部（４２）は、ロック部材（４０）がベーン連結部材（３４）に対して回動する中心である軸（４６）に略平行な方向に延在するピン（４２）を備えることを特徴とする請求項９記載のアッセンブリ。
【請求項１１】
電磁連結部材（３４）はピン（４２）と接触するコア（３６）を有することを特徴とする請求項１０記載のアッセンブリ。
【請求項１２】
ロック解除位置へ向かう方向へのロック部材（４０）の移動を制限する制限部材（５６）を含むことを特徴とする請求項９記載のアッセンブリ。
【請求項１３】
ロック部材（４０）は一端部付近にロック部（５０）を有するアームを備え、アームの他端部（５４）は重力によってロック部（５０）がロック位置に付勢されるように寸法決めされていることを特徴とする請求項８記載のアッセンブリ。
【請求項１４】
ロック部（５０）が他端部（５４）よりも重いことを特徴とする請求項１３記載のアッセンブリ。
【請求項１５】
他端部（５４）がロック部（５０）よりも重いことを特徴とする請求項１３記載のアッセンブリ。
【請求項１６】
少なくとも１つのエレベータかごドア（２４）と、
少なくとも１つの昇降路ドア（２６）と、
かごドア（２４）と共に移動するように支持された第１の連結部材（３２）と、
昇降路ドア（２６）と共に移動するように支持された第２の連結部材（３４）と、
ロック部材（４０）と、
を備えるエレベータアッセンブリであって、
第１および第２の連結部材（３４）は、昇降路ドア（２６）とかごドア（２４）とを連結し、それによって、これらのドアが一緒に動き、
ロック部材（４０）は、連結部材（３２，３４）の一方が他方の連結部材（３２，３４）に向かって移動すると連結部材（３２，３４）の一方に接触して、連結部材（３２，３４）の一方が他方の連結部材（３２，３４）に向かって移動し続けるとロック解除位置へ移動するように配置されたことを特徴とするエレベータドアアッセンブリ。
【請求項１７】
ロック部材（４０）は、第２の連結部材（３４）に回動可能に支持され、第１の連結部材（３２）の対応する部分（３６）と直接的に接触する接触部（４２）を有することを特徴とする請求項１６記載のアッセンブリ。
【請求項１８】
第１の連結部材（３２）は、第１の連結部材（３２）が第２の連結部材（３４）と磁気的に連結した際に、ロック解除位置にロック部材（４０）を保持することを特徴とする請求項１６記載のアッセンブリ。
【請求項１９】
ロック部材（４０）は一端部付近にロック部（５０）を有するアームを備え、アームの他端部（５４）はロック部（５０）がロック位置へ重力によって付勢されるように寸法決めされていることを特徴とする請求項１６記載のアッセンブリ。
【国際調査報告】
2008513316.tif 000008